(57)【特許請求の範囲】
【請求項１】
汚泥を脱水処理する前に、ホルマリンと酸化剤を添加混和し、その後、脱水することを特徴とする脱水汚泥ケーキの消臭方法。
【請求項２】
ホルマリン添加混合後、酸化剤を添加することを特徴とする請求項１の脱水汚泥ケーキの消臭方法。
【発明の詳細な説明】
【０００１】
【発明の属する技術分野】
本発明は、脱水汚泥ケーキの消臭方法に関するもので、し尿や下水、あるいは有機性産業排水等の処理によって生じる各種脱水汚泥ケーキからの臭気を効率よく抑制する方法に関するものである。
【０００２】
【従来の技術】
下水処理工程、し尿処理工程、食品工場、ビール工場、紙パルプ工場等より各種汚泥が発生する。
これらの汚泥はベルトプレス、フィルタープレス、遠心分離等の脱水機を用いて脱水汚泥ケーキとされ、焼却、埋め立て、コンポスト等として処理されている。これらの脱水汚泥ケーキは嫌気性菌の働きによって、硫化水素、メチルメルカプタン、ｎ−酪酸、アンモニア、トリメチルアミン等の悪臭を発生する。
【０００３】
各処理場で発生する悪臭は、臭気をダクトに収集して、薬液洗浄、活性炭、微生物濾床脱臭等によって処理し、排気の清浄化を行っている。しかし、例えば、脱水工程での脱水機室では、作業員の作業衛生管理上の問題、脱水ケーキ搬出時の臭気対策、埋め立て事業所の受入れ基準の強化等によって、好ましくない環境を改善する必要に迫られ、近年過酸化水素、亜塩素酸ソーダ、塩化亜鉛等の酸化剤や静菌剤の汚泥への添加使用により、悪臭成分の酸化や汚泥中の菌群の殺菌により悪臭の発生を抑制する方法がとられており、亜塩素酸ソーダと次亜塩素酸ソーダ等の二剤を添加する方法も試みられている。
【０００４】
しかし、このような薬剤の添加では、一時的な脱水汚泥ケーキの臭気を低減できるものの、十分な静菌作用を示さず、脱水汚泥ケーキからの臭気の発生を抑制する効果が十分に発揮されないという問題があり、亜塩素酸ソーダと次亜塩素酸ソーダ、静菌剤系消臭剤の三剤を用いることにより、十分な効果が得られるという報告がなされている（特開平５−２５３５９９号公報）。しかし、このような三剤を用いるとなると煩雑であり、しかも処理経費が嵩むため、実用化され難いものであった。
【０００５】
【発明が解決しようとする課題】
本発明は、これらの事情を考慮して、し尿、下水、あるいは有機性産業排水等より発生する各種脱水汚泥ケーキの臭気を、安価に効率よく抑制する方法を提供することを課題とする。
【０００６】
【課題を解決するための手段】
本発明では、汚泥を脱水する前に還元剤系消臭剤であるホルマリンを汚泥に添加することにより、上記課題を解決した。
【０００７】
ホルマリンは希薄な水溶液でも原形質膜の蛋白質のアミノ酸と反応して、ホルミル化蛋白質をつくり、変形不溶化させて細胞の機能を停止させるのを利用して広く殺菌剤として用いられている。本発明では、この殺菌作用を利用して臭気を発生させる細菌を殺菌し、臭気の発生を抑制するのであるが、ホルマリンと酸化剤を併用することにより、より優れた効果を得ることができる。
【０００８】
酸化剤の使用は、ホルマリンで脱臭処理した残臭を更に処理し、脱臭効果の即効性と持続性の双方を高めるので、酸化剤は、ホルマリンを汚泥に添加混合した後に、時間をずらして添加するのが好ましい。
【０００９】
なお、ホルマリンは、脱水処理する前の汚泥に添加するが、この汚泥のpH及び温度は特に限定されない。しかし、活性汚泥処理する場合、通常pHは５〜７、処理温度は５〜２５℃が有利とされているので、本発明による処理においても、pHは５〜７、処理温度は５〜２５℃とするのが好ましい。
【００１０】
次に、ホルマリンの添加は、生汚泥貯留槽又は余剰汚泥貯留槽〜脱水機供給汚泥引き抜き送泥管の工程範囲であれば、どの位置でなされてもよいが、ホルマリンの効果を効率よくするためには、攪拌効果を高め、反応時間をできるだけ長く取るようにするのがよい。なお、酸化剤を併用する場合は、ホルマリンの効果を最大に生かして残臭を少なくすることが、酸化剤の添加量を少なくすることになるので、酸化剤の添加は、脱水機供給送泥管中に近いほどホルマリンと汚泥の反応時間が長く取れ、有利である。
【００１１】
ホルマリンは、通常１〜４０数％のホルムアルデヒド水溶液で、５０％以上の水溶液も使用可能である。しかし、ホルムアルデヒドは水溶液中で水和したメチレングリコールＣＨ2 （ＯＨ）3 及び重合体ＨＯ（ＣＨ2 Ｏ）n Ｈの形で存在するが、不溶性となって析出しやすいので、０〜１３％のメタノールを加えＣＨ2 （ＯＨ）ＯＣＨ3 の形で安定化させてあるものを使用するのが有利である。なお、ホルマリンの添加量は、通常、ホルムアルデヒドとして汚泥１リットル当たり１０〜１０００mg程度でよい。
【００１２】
本発明で、ホルマリンと併用されてもよい酸化剤としては、アルカリ金属次亜塩素酸塩、アルカリ土類金属次亜塩素酸塩、アルカリ金属亜塩素酸塩、アルカリ土類金属亜塩素酸塩、アルカリ金属塩素酸塩、アルカリ土類金属塩素酸塩、アルカリ金属過塩素酸塩、アルカリ土類金属過塩素酸塩、３０〜５０％過酸化水素水、過マンガン酸カリウム又はその水溶液、アルカリ土類金属塩化物又はその水溶液、アルカリ土類金属硫酸塩又はその水溶液、アルカリ土類金属硝酸塩又はその水溶液、アルカリ土類金属燐酸塩又はその水溶液、アルカリ土類金属酢酸塩又はその水溶液等を例示できるが、これらの添加形態は特に限られない。一般に水溶液として用いるのが扱い安く、薬剤の添加量は、薬剤の種類によって異なるが、通常、汚泥１リットル当たり１０〜１０００mg程度でよい。
【００１３】
【発明の実施の形態】
次に実施例に基づいて本発明の対象をさらに詳しく説明する。ただし、本発明はこれらの実施例に限定されない。
【００１４】
汚泥を脱水して得られる脱水汚泥ケーキにも、離脱水にもホルマリンは残存する。例えば、pH5.５、全固形物分（以下、ＴＳと述べる）3.２％の下水処理場の汚泥に３７％ホルマリン１０００mg/lを添加して得られた離脱水におけるホルマリンの量は３７％ホルマリン７００mg/lであった。下水処理場での離脱水は最初沈殿池の流入口へ返送され、流入水によって通常１００〜２００倍に希釈され、エアレーションタンクに送られて微生物による活性汚泥処理される。
そこで、ホルマリンの活性汚泥処理については、３７％ホルマリン５〜５０mg/lに調製した汚泥を卓上型の活性汚泥装置で８時間活性汚泥処理した。その結果を表１に示す。
【００１５】
【表１】
0003679531.tif 000002
【００１６】
表１によれば、３７％ホルマリン５〜５０mg/lに調製した汚泥中のホルマリンは、８時間の活性汚泥処理で消失し、感知できなくなっていることがわかる。
【００１７】
次に、pH5.４、ＴＳ3.０％の下水汚泥を用いて得た脱水汚泥ケーキ中のホルマリン残存推移と臭気の再発生の実験結果を表２に示す。
【００１８】
【表２】
0003679531.tif 000003
【００１９】
表２の結果から、汚泥１リットル当たり、３７％ホルマリンを３００mgという少量のホルマリン添加でも、非常に効率よく、汚泥中の悪臭が消滅し、その効果は、４８時間以上持続することが分かる。
【００２０】
更に、pH5.４、ＴＳ2.８％の下水汚泥に各種薬剤を添加した後、高分子凝集剤を加えて軽く攪拌し、脱水して得られた脱水汚泥ケーキをタッパーに封入し、２５℃の恒温室に保管してタッパー内のヘッドスペースガスの臭気成分濃度を経時的に測定した。その結果を表３、表４に示す。
【００２１】
【表３】
0003679531.tif 000004
【００２２】
【表４】
0003679531.tif 000005
【００２３】
表３の結果から、ホルマリンが従来消臭剤として使用された酸化剤に比べて少量の添加で、顕著な消臭効果を発揮することが分かる。また、表４の結果から、ホルマリンに酸化剤を併用した効果が確認でき、この効果は、ホルマリンを添加後一定時間を置いた後に脱水した場合に著しく、特に、ホルマリン添加後、時間をずらして酸化剤を添加した場合に著しいことが確認できる。
【００２４】
【発明の効果】
本発明では、安価なホルマリンを使用して、操作性よく、脱水汚泥ケーキの安定した消臭が可能となる。